(57)【要約】【課題】見守り対象者が居住空間のどの位置にいるかを確認できるようにする。【解決手段】床部材２は、床面２ａと、床面２ａが押圧されることによって発電を行う発電部９と、所定の情報を発信するための発信部１０とを備える。発信部１０は、他の床部材２と区別するために設定される識別情報を発電部９による発電によって発信可能に構成される。【選択図】図２
2014080769.tif 000002
【特許請求の範囲】
【請求項１】
床面と、
床面が押圧されることによって発電を行う発電部と、
所定の情報を発信するための発信部と、を備え、
発信部は、他の床部材と区別するために設定される識別情報を発電部による発電によって発信可能に構成されてなることを特徴とする床部材。
【請求項２】
前記発信部は、発電部で生じる電圧に関する情報を発信可能に構成されてなる請求項１に記載の床部材。
【請求項３】
前記発電部と発信部とを支持する基材と、
発電部と発信部とを覆うとともに床面を構成可能な床面構成部材とをさらに備え、
床面構成部材を基材に固着することにより、床面構成部材と基材との間に発電部及び発信部を収容する収容空間が形成され、収容空間への水分の進入を防止すべく、床面構成部材の周縁部が基材に溶接よって固着されてなる請求項１又は２に記載の床部材。
【請求項４】
請求項１から３のいずれか１項に記載される床部材と、
発信部から発信される情報を受信する受信機と、受信機によって受信された情報に基づいて床部材の床面を踏む見守り対象者の位置を判断するための見守り支援装置とを備えることを特徴とする見守り支援システム。
【請求項５】
請求項２に記載される床部材と、
発信部から発信される情報を受信する受信機と、受信機によって受信された情報に基づいて床部材の床面を踏む見守り対象者の位置を判断するための見守り支援装置とを備え、
見守り支援装置は、発電部で生じる電圧に関する情報に基づいて、床部材の床面を踏む見守り対象者の行動状況を判断可能に構成されることを特徴とする見守り支援システム。
【発明の詳細な説明】
【技術分野】
【０００１】
本発明は、所定の情報を発信可能な床部材及びこの床部材を用いた見守り支援システムに関する。
【背景技術】
【０００２】
従来、病院や介護施設等において、被看護者の世話を行う場合、看護者の負担を軽減するために、被看護者がベッドから離床したことを検知する荷重検知センサが使用されている。
【０００３】
荷重検知センサは、例えば、シート状の袋体と、袋体の内部に間隔をおいて設けられる上部板及び下部板と、上部板と下部板の間隔を保持するために設けられる弾性体と、下部板に設けられる複数のスイッチとを備える（例えば特許文献１参照）。
【０００４】
この荷重検知センサは、被看護者による荷重が加えられたときに、上部板が下方に移動するとともにスイッチを押圧し、これによる信号が報知装置に送信されるように構成されている。
【０００５】
この荷重検知センサを、例えばベッドの周辺の床面に配置すると、被看護者がベッドから離床し、荷重検知センサを踏んだ場合に、センサがこれを感知して、看護者にその旨を報知することができる。これにより、看護者は常に被看護者を看護しなくてもよくなり、看護の負担が軽減される。
【０００６】
なお、この荷重検知センサは、枕の下や、ベッドのマットレス上、車椅子、部屋の出入口、浴室等への配置も想定されている。
【先行技術文献】
【特許文献】
【０００７】
【特許文献１】実用新案登録第３１７０３９６号公報
【発明の概要】
【発明が解決しようとする課題】
【０００８】
上記のような従来の荷重検知センサは、様々な場所に配置されて、被看護者によって踏まれた際に、その旨を報知することが可能であるが、例えば、老人ホームに入居している高齢者の場合のように、常に看護を必要としないような人への適用が困難である。
【０００９】
すなわち、健康な高齢者の場合には、荷重検知センサが踏まれるたびに報知を行う必要はない。しかしながら、最低限、高齢者が居住空間のどの位置にいるかということを見守り支援する必要がある。
【００１０】
本発明はこのような事情に鑑みてなされたものであり、見守り対象者が居住空間のどの位置にいるかを確認できるようにするための床部材及びこの床部材を用いた見守り支援システムを提供することを目的とする。
【課題を解決するための手段】
【００１１】
本発明は、床面と、床面が押圧されることによって発電を行う発電部と、所定の情報を発信するための発信部と、を備え、発信部は、他の床部材と区別するために設定される識別情報を発電部による発電によって発信可能に構成されてなることを特徴とする。
【００１２】
かかる構成によれば、発信部がその床部材を特定するための識別情報を発信するように構成されるため、例えば、居住空間内において、ベッド、浴室、階段、キッチンの各場所に床部材を配置した場合に、各床部材の発信部から発信される識別情報を読み取り、その識別情報が対応する床部材の設置場所に見守り対象者が存在することを確認できるようになる。また、複数の床部材を並設した場合には、床部材の踏まれた順番を把握することで、見守り対象者の移動の方向も確認できるようになる。また、床面が押圧されることによって発電部が発電を行う構成を採用していることから、別途の電池や外部電源を必要とせず、床部材を、持ち運びが容易でかつコンパクトな構成にすることができる。
【００１３】
また、本発明に係る床部材によれば、前記発信部は、発電部で生じる電圧に関する情報を発信可能に構成されることが望ましい。
【００１４】
かかる構成によれば、発電部で生じる電圧に関する情報を発信部から発信可能にすることで、電圧の強弱を把握することができ、この電圧の強弱によって、見守り対象者が立って歩いているのか、あるいは倒れているのかといった見守り対象者の行動状況（姿勢）をも確認できるようになる。
【００１５】
また、本発明に係る床部材によれば、前記発電部と発信部とを支持する基材と、発電部と発信部とを覆うとともに床面を構成可能な床面構成部材とをさらに備え、床面構成部材を基材に固着することにより、床面構成部材と基材との間に発電部及び発信部を収容する収容空間が形成され、収容空間への水分の進入を防止すべく、床面構成部材の周縁部が基材に溶接によって固着される構成を採用できる。
【００１６】
かかる構成によれば、床部材の防水性を確保することで、床部材をキッチン、トイレ、浴室等のような水を使う場所にも設置することができるようになる。
【００１７】
また、本発明に係る見守り支援システムは、上記の床部材と、発信部から発信される情報を受信する受信機と、受信機によって受信された情報に基づいて床部材の床面を踏む見守り対象者の位置を判断するための見守り支援装置とを備えることを特徴とする。
【００１８】
かかる構成によれば、発信部がその床部材を特定するための識別情報を発信し、この識別情報を受信機によって受信し、さらに、この識別情報を見守り支援装置が把握することによって、例えば、居住空間内において、ベッド、浴室、階段、玄関の各場所に床部材を配置した場合に、各床部材の識別情報を読み取ることで、見守り対象者がどの位置にいるかを確認できるようになる。
【００１９】
また、本発明に係る見守り支援システムは、他の床部材と区別するために設定される識別情報と、発電部で生じる電圧に関する情報とを発電部による発電によって発信可能な発電部を有する床部材と、発信部から発信される情報を受信する受信機と、受信機によって受信された情報に基づいて床部材の床面を踏む見守り対象者の位置を判断するための見守り支援装置と、を備え、見守り支援装置が発電部で生じる電圧に関する情報に基づいて、床部材の床面を踏む見守り対象者の行動状況を判断可能に構成されることを特徴とする。
【００２０】
かかる構成によれば、見守り支援装置は、各床部材の識別情報を読み取ることによって、見守り対象者が居住空間においてどの位置にいるのかを確認できるとともに、各床部材の電圧に関する情報に基づいて、見守り対象者が、立って歩いているのか、あるいは倒れているのか、といった見守り対象者の行動状況をも確認できるようになる。
【発明の効果】
【００２１】
本発明によれば、見守り対象者が居住空間のどの位置にいるかを確認できる。
【図面の簡単な説明】
【００２２】
【図１】図１は、本発明の一実施形態による見守り支援システムを示す概念図である。
【図２】図２は、床部材の平面図である。
【図３】図３は、図２のＡ−Ａ線の断面図である。
【図４】図４は、見守り対象者の居住空間（部屋）に床部材が配置された状態を示す平面図である。
【図５】図５は、見守り支援装置の構成を示すブロック図である。
【図６】図６は、床部材の識別情報（ＩＤ）と、対応する配置場所との対応関係を示す対応テーブルを示す。
【図７】図７は、床部材から送信される電圧の時間的変化の例を示す図である。
【図８】図８は、床部材から送信される電圧の時間的変化の例を示す図である。
【図９】図９は、床部材から送信される電圧の時間的変化の例を示す図である。
【図１０】図１０は、床部材から送信される電圧に関する情報の時間的変化を示す図である。
【図１１】図１１は、床部材の他の実施形態を示す断面図である。
【図１２】図１２は、床部材の他の実施形態を示す断面図である。
【発明を実施するための形態】
【００２３】
以下、本発明を実施するための形態を、図面に基づき説明する。図１〜図１０は、本発明に係る見守り支援システム及び床部材の一実施形態を示す。
【００２４】
本発明に係る見守り支援システムは、例えば、高齢者が一人で生活をするような高齢者独居世帯の健康状態等を把握すべく、その挙動を見守り支援するために使用される。
【００２５】
図１に示すように、見守り支援システム１は、所定の居住空間に配置されるとともに所定の情報を送信可能な床部材２と、床部材２から送信される情報を受信する受信機３と、受信機３によって受信される情報をインターネット等の通信回線を通じて受信するとともに、見守り支援の状態を判断可能な見守り支援装置４とを備える。
【００２６】
図２は、床部材２の平面図であり、点線にて図内部構造の概略を示す。図３は、図２のＡ−Ａ切断面から中央部に向かってみた断面図である。図２、図３に示すように、床部材２は、基材６と、床部材２の床面２ａを構成する床面構成部材７と、段差解消部材８と、床面２ａが押圧されることによって発電を行う発電部９と、所定の情報を発信するための発信部１０とを備える。
【００２７】
基材６は、例えば四角形等の布状部材又は板部材により構成される。基材６は、例えば、熱可塑性樹脂によって形成される。より具体的には、基材６は、防水性、下地追随性、柔軟性、熱溶着性等の観点から、塩化ビニル、オレフィン系の熱可塑性樹脂によって形成されることが望ましい。また、基材６は、ニードルパンチ、フェルト等の不織布によって形成されてもよい。基材６の裏面には、粘着加工、吸着加工が施されてもよい。これによって、接着剤その他の固定手段を用いることなく、基材６を容易に設置することができる。さらに、この場合には、使用時の床部材２の位置ズレを防止するとともに、床部材２を上に持ち上げるだけで、移動させることも可能である。
【００２８】
図３に示すように、基材６の上面には、床面構成部材７が重ねられている。床面構成部材７は、例えば、基材６の形状に対応して、四角形状の布状部材又は板状部材として構成される。床面構成部材７は、熱可塑性樹脂によって形成される。より具体的には、床面構成部材７は、防水性、耐久性、汚れ拭き取り性、柔軟性、熱溶着性等の観点から、塩化ビニル、オレフィン系の熱可塑性樹脂によって形成されることが望ましい。その他に、床面構成部材７には、ナイロン、ポリプロピレン、ＰＥＴ、ウール等の素材を利用して、タフテッド形状、織形状、ニードルパンチ形状のカーペットを用いることも可能である。
【００２９】
床面構成部材７は、その周縁部７ａが基材６に接合されることによって固着される。これにより、床面構成部材７と基材６との間に、発電部９、発信部１０及び段差解消部材８の収容空間が形成される。また、この接合によって、収容空間への水分の進入が防止される。
【００３０】
接合を行う手段は特に限定されないが、例えば、溶着、接着等を挙げることができ、特に接合力が強く、床部材２全体の強度を強く保つことができ、防水性・防湿性にも優れる溶着が望ましい。また、溶着による加工は、不陸追随の際の床部材２全体が変形や、経年劣化や衝撃などの影響により剥離する虞が少ないので、剥離による防水性・防湿性の低下が生じにくく本発明に好適に利用できる。特に、溶着による接合は、長期間に渡って安定的に高い強度で密閉性を保つことができる。このため、高湿度の環境などで使用する場合であっても、湿気などが床部材２内部に侵入せず、収容された発電部９及び発信部１０の信頼性を低下させることなく長期間使用することができる。また、設備が安価で、高い生産性を示す点でも、溶着により接合することが好ましい。
【００３１】
溶着方法としては、溶剤によるものと、加熱によるものがあるが、加工が容易な上、接合強度が高い加熱方式が本発明に好適に利用できる。上記溶着としては、高周波ウェルダー装置による溶着、高圧プレス機による溶着、超音波ウェルダー装置による溶着、ヒートシール、等の局所的に可能な加熱溶着が挙げられる。このような局所的に可能な加熱溶着は、床部材２内部に収容された発電部９及び発信部１０に伝わる熱を最小限に留めて損傷することなく、高い強度で接合を行うことができる。局所的に可能な加熱溶着としては、なかでも、高周波ウェルダー装置による溶着が好ましい。
【００３２】
高周波ウェルダー装置による加熱溶着加工とは、材料を電極間に配置して高周波電圧を加えて、分子同士の激しい摩擦によって生ずる発熱を利用して材料を加熱、押圧するものである。高周波ウェルダー装置を用いると、多様な装置が市販されているために、溶着の範囲や強度等様々な形態の溶着に対応することが容易であり、また、溶着を行いたい箇所のみを集中的に加熱することができるために、製造時に内部の発電部９及び発信部１０が損傷することを抑制することができる。高周波ウェルダー装置としては、ＫＷ−４０００Ｔ（精電舎電子工業株式会社製）、ＬＷ５５００−ＡＰＨ（クインライト電子精工株式会社製）、ＶＷ５０００（山本ビニター株式会社製）などが例示される。かかる高周波ウェルダー装置は、シート載置台の上方に、昇降可能な細長いバーを有するものである。シート載置台の上に、被溶着物であるシートを重ね合わせ、その上に、貼り合わせたい部分の形に応じた形の押型又は切型をバーに付けて、シートの下に絶縁体（シート下敷）を載置して、バーを降ろして金型にシートを接触させ、一定出力の特定周波数の高周波電流を印加して誘電溶着を行う。溶着する部分の端を切り落としたい場合は、下方外側が、一般に使われる空気物の刃（型）よりもやや鋭角になっている切り刃（型）の切型を用い、溶着のみで切断を同時に行わない場合は下方が平坦になっている押型を用いる。
【００３３】
段差解消部材８は、床部材２の床面２ａと、この床部材２が設置される居住空間の床面との間の段差を解消するためのものである。この段差解消部材８は、図２に示すように、平面視において、環状の枠部材として構成される。この段差解消部材８は、複数に分割された分割体を組み合わせて枠形状に構成してもよい。段差解消部材８の環の内側には、発電部９及び発信部１０が配置されている。段差解消部材８は、図３に示すように、環の内側から外側に向かうにつれて下方に傾斜する傾斜面１１を有する。段差解消部材８は、例えば、軟質系の塩化ビニル樹脂やオレフィン樹脂、熱可塑性エラストマー等の材料によって形成されることが望ましい。また、段差解消部材８を中空状に構成するとともに、その内部に綿状の繊維物を詰めて緩衝効果を高めることも可能である。
【００３４】
段差解消部材８が解消する段差は、例えば、１ｍｍ以上１５ｍｍ以下、好ましくは、２ｍｍ以上１０ｍｍ以下である。これは、段差が大きすぎる場合には、見守り対象者がこの床部材１に躓き易くなること、及び、段差解消部材８の幅が大きくなって床部材１が必要以上に大型化してしまうことに因る。また段差が小さい場合には、段差会場部材８の耐久性が確保できなくなるため、上記の範囲に設定されることが望ましい。
【００３５】
段差解消部材８の幅は、１０ｍｍ以上１００ｍｍ以下、好ましくは、２０ｍｍ以上５０ｍｍ以下である。この幅が大きすぎる場合には、前述のように床部材１の大型化を招き、小さすぎると、傾斜面１１の傾斜角度が大きくなり、見守り対象者がこの床部材１に躓き易くなるとともに、段差があることの視認性が低下してしまうことから、上記の適切な範囲に設定されることが望ましい。
【００３６】
なお、段差解消部材８の視認性を高めるために、例えば、段差解消部材８の位置に対応する床面構成部材７の表面部位に、目印を付けたり（例えば輝度の高い部材を設ける）、凹凸によるエンボス加工を施したりする等の処置を行うことも可能である。
【００３７】
発電部９には圧電素子が使用されている。発電部９は、複数の圧電素子を用いてユニット化されている。本実施形態では、１つの床部材２に対して４つのユニット化された発電部９が使用されている。各発電部９は、所定の接続配線１２ａによって隣り合う他の発電部９と接続されている。図３に示すように、発電部９の上面は、床面構成部材７の下面（裏面）に接触している。これにより、床部材２の床面２ａ（床面構成部材７の上面）が押圧された場合に、その押圧力は、発電部９に直接伝達される。発電部９の下面は、基材６の上面に接触している。
【００３８】
発信部１０は、発電部９による発電によって発生した電力によって駆動される。発信部１０は、発電部９とともに並設されている。発信部１０は、接続配線１２ｂ及び発電部９同士を接続する接続配線１２ａによって、隣り合う発電部９と接続されている。この発信部１０は、それぞれの床部材２を他の床部材２と区別するために、固有の識別情報（ＩＤ）を記憶している。発信部１０は、床面２ａが踏まれて押圧されたときに、発電部９の発電により、この識別情報を発信する。また、発信部１０は、発電部９で生じた電圧に関する情報を発信することも可能である。
【００３９】
図４は、床部材２及び受信機３が設置された居住空間（部屋）を示す。この図４では、ベッドの近傍位置に６つの床部材２Ａ〜２Ｆ、階段の近傍位置に４つの床部材２Ｇ〜２Ｊ、玄関の近傍位置に４つの床部材２Ｋ〜２Ｎ、浴室（ユニットバス）の近傍位置に４つの床部材２Ｏ〜２Ｒが設置されている。
【００４０】
受信機３は、例えば、床部材２が設けられる居住空間の壁面に配置される。受信機３は、床部材２の発信部１０から発信された固有の識別情報（ＩＤ）を無線通信によって受信するとともに、この固有の識別情報（ＩＤ）を、インターネット等の通信回線を通じて見守り支援装置４に送信するように構成される。さらに、発信部１０より発電部９で生じた電圧に関する情報が発信される場合は、電圧に関する情報も同様に受信し、インターネット等の通信回線を通じて見守り支援装置４に送信する。
【００４１】
見守り支援装置４は、受信機３によって受信された固有の識別情報（ＩＤ）に基づいて床部材２の床面２ａを踏む見守り対象者の位置を判断するためのものである。見守り支援装置４は、受信機３よりインターネット等の通信回線を通じて送信された情報を受信し、受信データに基づいて見守り対象者の位置を見守り者に表示する。さらに、発電部９の電圧に関する情報が送信される場合は、電圧に関する情報に基づいて、床部材２の床面２ａを踏む見守り対象者の行動状況（姿勢）を判断可能に構成される。
【００４２】
図５に示すように、見守り支援装置４は、所定のデータを記憶する記憶部１３と、記憶部１３のデータに基づいて所定の制御を行う制御部１４と、情報の送受信を行う通信部１５と、見守り者が制御部１４の操作を行うための操作部１６と、所定のデータを見守り者に対して表示するための表示部１７とを有する。
【００４３】
記憶部１３は、床部材２各固体別に固有に設定された識別情報とその配置位置との対応関係を示す対応テーブル、及び見守り対象者に関するデータ（見守り対象者データ）等を記憶している。識別情報とその配置位置との対応関係を示す対応テーブルは、床部材２を配置する際に見守り支援装置４にあらかじめ入力しておくのが望ましい。
【００４４】
発信部１０から床部材２の電圧に関する情報を発信する場合、電圧データは、床部材２の発信部１０から発信され、受信機３によって受信され、見守り支援装置４の通信部１５、制御部１４を経由して記憶部１３に逐次記憶される。電圧データは、各床部材２の識別情報とともに記憶部１３に記憶されている。また、記憶部１３には、記憶された電圧データと見守り対象者の行動状況を判断するためのコードとの関係を示す電圧値テーブルが記憶されている。この電圧値テーブルにより、所定の電圧値が検知された場合、見守り対象者の行動状況を判断することが可能となる。さらに、見守り対象者データ毎に対応する電圧値テーブルを複数設けると、見守り対象者の年齢、体力、体重などに基づいて見守り対象者の行動状況をより細やかに判断し、見守り支援精度を向上させることができる。
【００４５】
対応テーブルは、図６に示すように、床部材２の設置場所「ベッド」に対して６つの床部材２Ａ〜２Ｆの識別情報（床部材２Ａ〜２Ｆに対応する識別情報１〜６）が対応付けられている。また、設置場所「ユニットバス」に対して４つの床部材２Ｇ〜２Ｊの識別情報（床部材２Ｇ〜２Ｊに対応する識別情報７〜１０）が対応付けられている。同様に、設置場所「玄関」に対して、４つの床部材２Ｋ〜２Ｎの識別情報（床部材２Ｋ〜２Ｎに対応する識別情報１１〜１４）、設置場所「階段」に対して、４つの床部材２Ｏ〜２Ｒの識別情報（床部材２Ｏ〜２Ｒに対応する識別情報１５〜１８）が対応付けられている。
【００４６】
なお、各床部材２の識別情報は、見守り支援装置の記憶部においては、２進数からなるデジタルデータとして保存されるが、見守り支援装置４の表示部１７に表示される場合には、制御部１４の制御によって、オペレータ等に認識されやすいように、英数字、文字、記号等の組み合わせによる識別番号として表示される。
【００４７】
図５に示すように、制御部１４は、中央演算ユニット（ＣＰＵ）１９、リードオンリーメモリ（ＲＯＭ）２０、ランダムアクセスメモリ（ＲＡＭ）２１を有する。制御部１４は、通信部１５、操作部１６、表示部１７、記憶部１３に電気的に接続されている。制御部１４は、記憶部１３に記憶されている各データに基づいて、所定の演算を行うように構成される。具体的には、制御部１４は、記憶部１３に記憶される電圧データに基づいて、各床部材２における電圧の時間的変化を示す図を作成して、表示部１７に表示させることができる。また、制御部１４は、見守り対象者の見守り支援の状況等を、通信部１５を介して、見守り対象者の家族等の関係者に連絡することができる。
【００４８】
通信部１５は、受信機３から送信される床部材２の識別情報及びその電圧に関する情報を制御部１４に送信する。また、通信部１５は、制御部１４からの指示により、インターネット、電話回線その他の通信回線を利用して、所定の情報を外部に送信することができる。
【００４９】
操作部１６としては、例えば、キーボードやマウス等のインタフェースが使用される。この操作部１６が操作されることによって、制御部１４の制御（演算）等が行われる。
【００５０】
表示部１７としては、液晶ディスプレイ、有機ＥＬディスプレイその他の種々の表示機器が使用される。表示部１７は、制御部１４によって作成される床部材２における電圧の時間的変化を示す図、対応テーブル、見守り対象者の情報等を表示する。
【００５１】
図７〜図１０は、表示部１７に表示される電圧の時間的変化を示す図である。図７は、床部材２の床面２ａが、正常に踏まれた状態を示す表示例である。すなわち、図７の波形Ｗ１は、見守り対象者が歩いて床部材２を踏んだ際に発生する電圧変化を示す波形である。図７に示すように、見守り対象者が歩いている場合には、連続的に２つのピーク値Ｐ１、Ｐ２が表示される。このように２つのピーク値Ｐ１，Ｐ２が生じるのは、見守り対象者が床部材１の床面を踏んだときに、まず踏み込みに対してピーク値Ｐ１が現れ、さらに、その後の蹴り上げに対してピーク値Ｐ２が現れるためである。
【００５２】
これに対し、図８の波形Ｗ２は、見守り対象者が両膝を床面２ａに打ちつけた状態、図９の波形Ｗ３は、見守り対象者が尻を床面２ａに打ちつけた状態、図１０の波形Ｗ４は、見守り対象者が立った状態から両手を床面２ａに打ちつけた状態を示す。図８〜図１０に示す状態は、いずれも見守り対象者が転倒や衝撃を受けた場合を模したものであり、波形Ｗ２〜Ｗ４に示すように、各状態とも、瞬間的な１つのピーク値Ｐ３のみが波形に現れ、図７のような見守り対象者が歩いている状態とは明確に区別される。また、このピーク値Ｐ３は、図７における波形Ｗ１のピーク値Ｐ１、Ｐ２の５倍から５０倍に及び、これによっても見守り対象者が歩いている状態とは明確に区別することができる。この波形の違いを判断する電圧波形判断用テーブルを記憶部１３に設け、制御部１４（ＲＯＭ２０）にこのテーブルとの比較判断を行うプログラムを設けることによって、見守り対象者が歩行している状態であるか、転倒ないしは転倒に類した衝撃を受けた状態であるかを判断し、見守り者に表示することが可能となる。また、電圧値が非常に高い場合は、激しい転倒と判断して、見守り者に対してアラームなどによる通常の表示とは異なる強い警告を与えることもできる。
【００５３】
以下、本発明の見守り支援システム１による見守り対象者の見守り支援方法について説明する。
【００５４】
見守り対象者の居住空間に配置された各床部材２は、その床面２ａが踏まれた場合に発信部１０から識別情報と電圧に関する情報を発信する。居住空間に設けられる受信機３は、発信部１０から発信された情報を受信すると、その情報を、インターネット回線を通じて見守り支援装置４に送信する。
【００５５】
見守り支援装置４の通信部１５は、受信機３から送信された情報を受信するとともに、制御部１４にこの情報を送信する。制御部１４は、この情報に基づいて、見守り対象者の位置や姿勢等の行動状況を判断する。見守り対象者に異常がなければ、この情報を記憶部１３に記憶させる。床部材２の電圧に関する情報に基づいて、見守り対象者が倒れたり、転んだりしたことが確認された場合には、見守り支援装置４は、制御部１４による判断、又はオペレータの操作部１６の操作による指示に基づいて、通信部１５を通じて、見守り対象者の関係者にこのことを報知する。この報知は、例えば電話回線等を通じて、見守り対象者の関係者の携帯電話２３（図１参照）等に対して行われる。
【００５６】
以上説明した本発明に係る床部材２及び見守り支援システム１によれば、発信部１０がその床部材２を特定するための識別情報を発信するように構成されるため、例えば、居住空間内において、ベッド、浴室、階段、玄関の各場所に床部材２を配置した場合に、各床部材２の発信部１０から発信される識別情報を見守り支援装置４が読み取ることで、見守り対象者がどの位置にいるかを確認できるようになる。
【００５７】
また、複数の床部材２を並設した場合には、床部材２の踏まれた順番を把握することで、見守り対象者の移動の方向も確認できるようになる。例えば、図４において、ベッドの近傍位置に設けられた床部材２Ａが踏まれた後、この床部材Ａよりもベッドから離れて配置される床部材２Ｂが踏まれた場合、見守り支援装置４の制御部１４は、見守り対象者がベッドから離れる方向に移動していることを確認できる。また、例えば、図４において、浴室の出入口の外側に設置された床部材２Ｏが踏まれた後、浴室の出入口の内側（浴室内）に設けられた床部材２Ｐが踏まれた場合、見守り支援装置４の制御部１４は、見守り対象者が浴室内に入ったことを確認でき、見守り対象者が入浴しようとしていることが推測される。
【００５８】
また、床面２ａが押圧されることによって発電部９が発電を行う構成を採用していることから、別途の電池や外部電源を必要とせず、床部材２を持ち運びが容易で、かつコンパクトな構成にすることができる。このことにより、見守り対象者の住居形態や身体状態、生活パターンなどに合わせて必要な箇所に必要な数だけ床部材２を配置することができる。見守り対象者の身体の状態が変化したなどの場合でも、必要に応じて床部材２の数や配置を変更することができるので、状況の変化にフレキシブルに対応していくことができる。
【００５９】
加えて、発電部９で生じる電圧に関する情報を発信部１０から発信可能にすることで、電圧の強弱を把握することで、見守り対象者が、立って歩いているのか、あるいは倒れているのか、といった見守り対象者の行動状況をも確認できるようになる。このように発電部９で生じる電圧を直接感知して判断することにより、見守り対象者の身体が発するエネルギーをより直接的に電気信号に変化させることが可能となり、比較的簡単な構成で見守り支援の精度を上げることができる。
【００６０】
床面構成部材７の周縁部７ａを溶接によって基材６に固着することで、床部材２内部への水分の進入を防止でき、床部材２をキッチン、トイレ、浴室等のような場所にも設置することができるようになる。
【００６１】
図１１は、本発明に係る床部材２の他の実施形態を示す。本実施形態では、基材６への床面構成部材７の固着の仕方が上述の実施形態と異なる。すなわち、図２、図３で示した実施形態では、床部材２は、床面構成部材７の周縁部７ａが基材６の上面に固着されていたが、本実施形態では、床面構成部材７の周縁部７ａは、基材６の下面に固着されている。より具体的には、床面構成部材７の面積は、基材６の面積よりも大きくなっている。これにより、床面構成部材７の周縁部７ａは、基材６の下面側に達し、溶接によって基材６に固着される。このように構成することによって、接合部が下面部に限られるので、上面からの水分の浸入をより強力に阻止することが可能となる。また、接合部が視覚的に完全に隠蔽されるため、意匠性も向上することができる。
【００６２】
図１２は、本発明に係る床部材２の他の実施形態を示す。本実施形態では、基材６の構成が上述の実施形態と異なる。すなわち、図２、図３又は図１１で示した実施形態では、１つの基材６に対して１つの床面構成部材７が固着されていたが、本実施形態では、１つの基材６に２つの床面構成部材７が固着されている。換言すれば、本実施形態では、２つの床部材２が一体に構成されている。このように構成することによって、複数の床材を一度に敷設することが出来る上、複数の床材が発する押圧信号の順を追うことによって見守り対象者経路を把握することがより容易となる。また、複数の床部材１をつなぐ部分（連結部分）で折り畳み構造をとることができるため、設置場所移動時の持ち運び性や収納性に優れている。
【００６３】
なお、本発明に係る床部材２及び見守り支援システム１は、上記実施形態の構成に限定されるものではない。また、本発明に係る床部材２及び見守り支援システム１は、上記した作用効果に限定されるものでもない。本発明に係る床部材２及び見守り支援システム１は、本発明の要旨を逸脱しない範囲で種々の変更が可能である。
【００６４】
例えば、上記の実施形態では、見守り支援装置４の記憶部１３が対応テーブルを記憶している例を示したが、これに限らず、受信機３が記憶部１３を備え、対応テーブルを記憶していてもよい。受信機３は、床部材２から送信された識別情報を対応テーブルに基づいて照合し、床部材２の識別情報とこの床部材２が設けられている位置情報とを見守り支援装置４に送信するようにしてもよい。
【００６５】
上記の実施形態では、床部材１の発信部１０は、その識別情報と発電部９で発生した電圧情報とを発信可能に構成された例を示したが、これに限らず、発信部１０が識別情報のみを発信するように構成されていてもよい。
【００６６】
床部材２が設置される場所は、上記の実施形態に限定されず、居住空間内であれば、バルコニー、階段の途中の場所、トイレその他のあらゆる場所が該当する。床部材２は、居住空間のみならず、病室、廊下、屋外その他のあらゆる場所に設置され得る。
【００６７】
見守り支援装置４は、汎用コンピュータのみならず、例えば、携帯電話等を使用して構成されてもよい。
【００６８】
上記の実施形態では、溶接によって、床面構成部材７の周縁部７ａを基材６に固着する例を示したが、これに限定されない。床部材２は、防水性が特に必要とされない場所に設置される場合には、基材６と床面構成部材７と布状部材で構成するとともに、これらを縫製によって一体に構成するようにしてもよい。この場合、基材６と床面構成部材７の端部（周縁部）をヘム加工、オーバーロック加工によって処理してもよい。また、基材６と床面構成部材７とを面ファスナによって接合するようにしてもよい。また、基材６又は床面構成部材７の内面に発電部９及び発信部１０を固定するゴムベルトを設けてもよい。
【００６９】
上記の実施形態では、床部材１に４つの発電部９は配設した例を示したが、これに限定されない。床部材１に内蔵される発電部９の数は、床部材１の大きさや設置場所、要望される発電部９の精度、性能等に応じて適宜選択できる。このように、床部材１に複数の発電部９を内蔵することによって、床部材１が設置される面に凹凸が存在する場合にも、床部材１は、この凹凸に追随し易くなる。
【００７０】
上記の実施形態では、床部材１の内部に段差解消部材８を設けた例を示したが、この段差解消部材８を使用せずに、床部材１を構成してもよい。床部材１は、段差解消部材８を使用することなく、そして、基材６の床面構成部材７等の厚さを適宜選択することによって、発電部９等を内蔵していない通常の床部材と同じ厚さに構成することができる。これにより、本発明に係る床部材１を通常の床部材とともに並設するが可能になる。このように、本発明に係る床部材１と通常の床部材とを併用することにより、多様なデザイン性を確保するとともに、床面設計の自由度を高めることが可能になる。
【符号の説明】
【００７１】
１…見守り支援システム、２…床部材、２ａ…床面、３…受信機、４…見守り支援装置、６…基材、７…床面構成部材、７ａ…周縁部、８…段差解消部材、９…発電部、１０…発信部、１１…斜面、１２ａ…接続配線、１２ｂ…接続配線、１３…記憶部、１４…制御部、１５…通信部、１６…操作部、１７…表示部、１９…中央演算ユニット（ＣＰＵ）、２０…リードオンリーメモリ（ＲＯＭ）、２１…ランダムアクセスメモリ（ＲＡＭ）、２３…携帯電話、Ｐ１…ピーク値、Ｐ２…ピーク値、Ｐ３…ピーク値
【図１】
2014080769.tif 000003
【図２】
2014080769.tif 000004
【図３】
2014080769.tif 000005
【図４】
2014080769.tif 000006
【図５】
2014080769.tif 000007
【図６】
2014080769.tif 000008
【図７】
2014080769.tif 000009
【図８】
2014080769.tif 000010
【図９】
2014080769.tif 000011
【図１０】
2014080769.tif 000012
【図１１】
2014080769.tif 000013
【図１２】
2014080769.tif 000014